(57)【特許請求の範囲】
【請求項１】
入力された信号を検波する検波部と入力された信号の減衰量を調整する電圧制御減衰部を有する入力部と、複数の電源モジュールを並列接続した電源部と、前記入力部からの信号を前記複数の電源モジュールを並列接続した電源部からの電源により増幅する増幅部と、前記増幅部で増幅された信号を検波する検波部を有する出力監視部と、装置内の各部の監視情報や検出情報を受け取り当該受け取った情報を流用して制御を行う制御部と、からなる電力増幅装置であって、
前記電源部または前記制御部は、前記電源モジュールの故障を検知する自己診断機能を有し、前記自己診断機能で故障が検出されると、当該故障が検出された電源モジュールを電源供給フローから切り離し、故障が検出されていない電源モジュールのみを通常時の状態で電源供給を継続させ、
前記制御部は、電力増幅装置における出力電力を前記故障が検出されていない電源モジュールからなる前記電源部の電源容量で許容される値となるように、前記電源部の電源容量と前記増幅部に入力される信号の減衰量を調整する前記電圧制御減衰部への制御電圧とを予め対応付けて記憶し、当該予め対応付けて記憶した前記制御電圧に応じて前記電圧制御減衰部へ制御電圧を供給して前記増幅部に入力される信号の減衰量を調整し、電力増幅装置の出力電力を制限することを特徴とする電力増幅装置。
【請求項２】
請求項１に記載の電力増幅装置において、
前記制御部は、前記故障が検出されていない電源モジュールからなる前記電源部の電源容量で許容される値を、通常時の出力における電源容量に対して電源モジュールの数と故障が検出されていない電源モジュールの数の比、もしくは故障が検出されていない電源モジュールからなる前記電源部の許容容量に応じた値とすることを特徴とする電力増幅装置。
【請求項３】
請求項１または請求項２に記載の電力増幅装置において、
前記制御部は、電力増幅装置における出力電力を前記故障が検出されていない電源モジュールからなる前記電源部の電源容量で許容される値となるように、前記電源部の電源容量と前記増幅部に入力される信号の減衰量を調整する前記電圧制御減衰部への制御電圧と共に前記出力監視部で検波されるべき検波電圧を予め対応付けて記憶し、前記予め対応付けて記憶した前記制御電圧に応じて前記電圧制御減衰部へ制御電圧を供給して前記増幅部に入力される信号の減衰量を調整すると共に、前記出力監視部で検波された検波電圧が前記予め対応付けて記憶した検波電圧に対して適正な値になるように前記電圧制御減衰部にフィードバック制御することを特徴とする電力増幅装置。
【発明の詳細な説明】
【技術分野】
【０００１】
本発明は、電力増幅装置に関するものである。
【背景技術】
【０００２】
従来の地上デジタルテレビ放送用送信機等で使用される電力増幅装置について、図３を用いて説明する。
図３は従来の電力増幅装置の構成を示すブロック図である。
従来、例えば、地上デジタル放送用送信機等で使用される電力増幅装置３００は、入力部３１、増幅部３２、出力監視部３３、制御部３４そして電源部３５から構成されている。
入力部３１は、入力された送信信号３８−１のレベルや位相を所定の値に調整する。増幅部３２は、例えば、ＦＥＴ（Field  Effect  Transistor）等の能動素子で構成されており、入力部３１で調整された送信信号３８−２を所定の電力まで増幅させる。出力監視部３３は、増幅部３２から出力された送信信号３８−３の電力レベルを測定し、所定の電力量が出力されていることを監視する。制御部３４は電力増幅装置３００全体の動作を制御するものであり、増幅部３２の動作を制御し、出力監視部３３から得られた出力電力量の値を基に入力部３１で入力電力量を調整し、各部からの情報を基に故障などを監視する。電源部３５は、入力部３１、増幅部３２、出力監視部３３、制御部３４に電源を供給する。【０００３】
先行技術文献としては、例えば、送信用に無線信号を増幅する増幅ユニットや、電力増幅ユニットに電力を供給する電源ユニットにおいて、運用系と予備系を有して、切替えて運用する無線装置が開示されている。
【先行技術文献】
【特許文献】
【０００４】
【特許文献１】特開２００５−０２０３７１号公報
【発明の概要】
【発明が解決しようとする課題】
【０００５】
従来の電源部は、電力増幅装置の全ての電力をまかなっているため、電源部が故障すると電力増幅装置が停止する。例えば、電力増幅装置が地上デジタルテレビ放送用送信機で使用されている場合は、放送停止等の重大事故となる。特に震災等の非常事態の際には、情報伝達のために放送停止はあってはならないことである。これを防止するために、電源部を複数台用意し、一つが故障した際には他方に切り替わるような冗長性を持たせているが、複数の電源およびそれを切り替えるシステムが必要となる。
本発明の目的は、電源部の一部が故障しても電源を供給し続けることにある。
【課題を解決するための手段】
【０００６】
本発明の電力増幅装置は、複数の電源モジュールを並列接続した電源部を有する電力増幅装置であって、電源モジュールは故障を検知する自己診断機能を有し、自己診断機能は故障した電源モジュールを電源供給フローから切り離すことを特徴とする。【０００７】
また、電力増幅装置は、送信信号を入力する入力部に電圧制御減衰部を有し、電圧制御減衰部は故障した電源モジュールの電源供給分に相当する電力を送信信号から減衰させることが好ましい。【０００８】
さらに、電力増幅装置は、正常動作している電源モジュールの容量内まで電力を増加させることで、電圧制御減衰部が減衰させる送信信号の減衰量を低減させることが好ましい。
【発明の効果】
【０００９】
本発明によれば、電源部の一部が故障しても電源を供給し続けることができ、更に低下した電源部の容量に応じた最適な増幅制御を行うことができる。
【図面の簡単な説明】
【００１０】
【図１】本発明の一実施例に係る電力増幅装置の構成を示すブロック図である。
【図２】本発明の一実施例に係る電力増幅装置の動作を説明するためのブロック図である。
【図３】従来の電力増幅装置の構成を示すブロック図である。
【発明を実施するための形態】
【００１１】
以下、本発明の実施形態について図面を参照して詳細に説明する。
図１は本発明の一実施例に係る電力増幅装置の構成を示すブロック図である。
電力増幅装置１００は、入力部１、増幅部２、出力監視部３、制御部４、電源部５で構成されている。
制御部４は、入力部１、増幅部２、出力監視部３、電源部５を制御フロー７で制御する。言い換えれば、制御フロー７の接続が制御的な接続となる。また、制御部４は、各部の制御以外に、各部での監視や検出情報を受け取ることにより、それを流用した制御を適宜行う。
電源部５は、電源モジュール５−１〜５−ｎ（ｎは正数）で構成され、電力増幅装置１００全体に電源を電力供給フロー６で供給する。言い換えれば、電力供給フロー６の接続が電源部５から電力供給される接続となる。なお、電源部５から各部に電力供給しているが、電源部５からの電力供給は一番使用容量の大きい増幅部２に専用として供給し、制御部４などへは別の電源部（図示なし）を要して供給するような構成にしてもよく、また、電圧変換器等（図示なし）を介して供給するような構成にしてもよい。
【００１２】
入力部１は、入力された送信信号８−１のレベルや位相を所定の値に調整する。
増幅部２は、例えば、ＦＥＴ（Field  Effect  Transistor）等の能動素子で構成されており、入力部１で調整された送信信号８−２を所定の電力まで増幅させる。
出力監視部３は、増幅部２から出力された送信信号８−３の電力レベルを測定し、所定の電力量が出力されていることを監視する。
制御部４は電力増幅器装置１００全体の動作を制御し、増幅部２の動作を制御し、出力監視部３から得られた出力電力量の値を基に入力部１で増幅部２への入力電力量を調整し、各部からの情報を基に故障などを監視する。
電源部５は、入力部１、増幅部２、出力監視部３、制御部４に電源を供給する。
【００１３】
電源部５は、例えば、１ｋＶＡの電源容量が装置として必要な場合、２５０ＶＡの電源容量を有する電源モジュールを４個で構成する。
電源モジュール５−１〜５−ｎは、並列接続の並列運転を行って電源を供給し、故障時には自己シャットダウンを行う、または制御部４からのＯＮ／ＯＦＦ制御を行える構成とする。
なお、電源部５は、故障した電源モジュールを電力供給フロー６から切り離す構成としてもよい。
【００１４】
電源モジュール５−１〜５−ｎは、各々に故障を検出する自己診断機能を有し、故障等の異常時には制御部４に異常内容を通報する。
電源モジュール５−１〜５−ｎの自己診断機能は、電圧や電流の監視だけでもよい。なお、自己診断機能は電源部５に１個でもよく、制御部４で監視制御を行うようにしてもよく、また、外部に設けてもよい。
【００１５】
次に、本発明の一実施例である電力増幅装置の詳細な動作について図２を用いて説明する。
図２は本発明の一実施例に係る電力増幅装置の動作を説明するためのブロック図である。
図２において、入力部１は検波部９と電圧制御減衰部１０を有し、出力監視部３は検波部１１を有し、制御部４は設定値部１２を有している。
【００１６】
設定値部１２は、電源モジュールの故障数に応じて電力増幅装置の出力電力を可変するための設定値を記憶している。
例えば、均等出力の電源モジュールが４個で１ｋＶＡの電源容量の場合についての設定値部１２の設定値について説明する。
【００１７】
設定値部１２の設定値は、通常時が１ｋＶＡの場合の出力電力とし、１個の電源モジュールが故障した場合には７５０ＶＡ（３／４倍）で出力可能な出力電力値と設定し、２個の電源モジュールが故障した場合には５００ＶＡ（１／２倍）で出力可能な出力電力値と設定し、３個の電源モジュールが故障した場合には２５０ＶＡ（１／４倍）で出力可能な出力電力値と設定する。
なお、設定値部１２の設定値は、故障していない電源モジュールの容量内であれば、上述以上の電源容量に設定してもよい。また、出力電力を電源容量に換算して、電源容量で設定することにしてもよく、目的とする出力電力量を残った電源容量以内に抑える設定が適宜行われればよい。
【００１８】
次に、電力増幅装置１００が、稼働中に１個の電源モジュール５−２が故障した場合の動作について説明する。
電源部５は、電源モジュール５−２が故障した場合、電源モジュール５−２をシャットダウンし、制御部４に故障連絡フロー１４で故障内容である電源モジュール５−２の故障を通報する。
【００１９】
制御部４は、電源部５からの通報に従い、電源モジュール１個の故障を設定値部１２に入力すると、設定値部１２から出力される設定値が１ｋＶＡに対応した値から７５０ＶＡに対応した値に変更される。
制御部４は、設定値部１２から出力される設定値（７５０ＶＡに対応）に従い、制御電圧フロー１３で入力部１の電圧制御減衰部１０を制御する。
なお、制御部４は、電源部５からの供給電力で許容される容量を故障した情報より判別し、当該容量に対応して電圧制御減衰器１０で減衰すべき値の制御電圧を、予め制御部４の設定値部１２をテーブル等で保持可能とし、故障した電源モジュールの数や故障後に運用される電源部５の許容容量等に応じて、テーブルを参照して制御電圧を設定すれば、より効率的な制御が可能となる。
【００２０】
入力部１の電圧制御減衰部１０は、送信信号８−１の信号レベルを３／４に減衰させた送信信号８−２を増幅部２に出力する。なお、ここでは４つの電源モジュールの内の一つが故障したことを前提に電源容量が３／４となった場合に入力される信号レベルを３／４に減衰することで説明しているが、これは、電源容量と入力される信号レベルがリニアな関係の場合を簡単な例として説明している。つまり、電源容量と入力される信号レベルがリニアな関係ではない場合には、上述したように、予め電源容量と当該電力容量で許容される入力される信号レベルに適した減衰量を設定できるように、電源部５の許容容量等に応じて、テーブルを参照して減衰量を調整するための制御電圧を設定すれば、より効率的な制御が可能となる。
また、入力部１の検波部９は、送信信号８−１を検波し、検波した信号を制御部４に出力することにより、送信信号８−４の電力精度を向上させるために使用してもよい。
【００２１】
増幅部２は、送信信号８−２を所定の電力に増幅した送信信号８−３を出力監視部３に出力する。
出力監視部３は、送信信号８−３を検波部１１で検波し、検波した検波電圧フロー１５を制御部４に出力する。
制御部４は、検波電圧フロー１５と設定値部１２の設定と比較し、差分を制御電圧フローに加算または減算して入力部１の電圧制御減衰部１０にフィードバックする。
なお、上述まででは電源モジュールの故障の有無や故障の数を考慮した許容電源容量と、それに対応した電圧制御減衰部１０の制御電圧をテーブルで管理するような説明も行っているが、そのテーブルには、電源モジュールの故障の有無や故障の数を考慮した許容電源容量と、それに対応した電圧制御減衰部１０の制御電圧と共に、出力監視部３の検波部１１で検波されるべき検波電圧もテーブルで管理するようにすれば、電源モジュール故障時に電圧制御減衰器１０により減衰された信号に対応して増幅部から出力される正常運転時より低くなった送信信号から検波される検波電圧が、適正な値になっているかを効果的に確認できる。更に、それを基に、電圧制御減衰器１０へのフィードバック制御も効果的なものになる。
【００２２】
本発明の実施形態である電力増幅装置は、電源部の一部が故障しても電源を供給し続けることができ、更に低下した電源部の容量に応じた最適な増幅制御を行うことができる。
【００２３】
以上、本発明の一実施形態について詳細に説明したが、本発明は上述した実施形態に限定されるものではなく、本発明の趣旨を逸脱しない範囲で種々変更して実施することができる。
【００２４】
この出願は、２０１６年４月２５日に出願された日本出願特願２０１６−０８７０６７を基礎として優先権の利益を主張するものであり、その開示の全てを引用によってここに取り込む。
【産業上の利用可能性】
【００２５】
電源部を複数の電源モジュールで構成し、かつ故障を検出することによって、一部の電源モジュールが故障した場合でも電源を供給し続ける用途に適用できる。
【符号の説明】
【００２６】
１，３１：入力部、２，３２：増幅部、３，３３：出力監視部、４，３４：制御部、５，３５：電源部、５−１〜５−ｎ：電源モジュール、６，３６：電力供給フロー、７：制御フロー、８−１〜８−４：送信信号、９：検波部、１０：電圧制御減衰部、１１：検波回路部、１２：設定値部、１３：制御電圧フロー、１４：故障連絡フロー、１５：検波電圧フロー、１００，３００：電力増幅装置。
【図１】
0006711902.tif 000002
【図２】
0006711902.tif 000003
【図３】
0006711902.tif 000004